(57)【要約】本発明は、可変鍔が備えられたゴルフ帽子に関し、より詳細には、頭に被せられるキャップＣと、前記キャップＣの前方に延びた固定鍔１０と、一側にスライドされて日光を遮断する可変鍔２０と、前記可変鍔２０を支持する鍔カバー３０とからなり、前記固定鍔１０の底面の両側部には鉄片１２’が備えられることによって、屋外のフィールドでゴルフをプレイする際、強い紫外線が含まれた日光を前面だけでなく側面からも遮断することができ、磁石が含まれたゴルフティーやマーカーが磁力で接触して固定されることを特徴とする、可変鍔が備えられたゴルフ帽子に関する。
2018521240.tif 000002
【特許請求の範囲】
【請求項１】
頭に被せられるキャップ（Ｃ）及び前記キャップ（Ｃ）の前方に延びた鍔からなるゴルフ帽子であって、
底面にガイド（１１）が一体に形成された固定鍔（１０）と、
前記ガイド（１１）に嵌められる遊動部（２１）、及び前記遊動部（２１）から延び、前記固定鍔（１０）の一側にスライドされて日光を遮断する鍔部（２２）からなる、一対の可変鍔（２０）と、
前記固定鍔（１０）の底面の前方先端及び後方先端に固定されて前記可変鍔（２０）を支持する鍔カバー（３０）とが備えられ、
前記固定鍔（１０）の底面の両側部には、矩形状に窪んだ鉄片溝（１２）、及び前記鉄片溝に挿入される鉄片（１２’）が備えられ、
前記ガイド（１１）は、内側に窪んだ凹状のガイド（１３）として備えられ、前記凹状のガイド（１３）は、前記固定鍔（１０）の中央を中心に左右方向に対称となるように窪んだガイド路（１３ａ）、及び前記ガイド路（１３ａ）の上端一側を覆うガイド段部（１３ｂ）で形成され、
前記遊動部（２１）は、前記凹状のガイド（１３）に挿入されてスライドされるように端部に両側部へ拡張される拡張片（２３ａ）が備えられ、
前記可変鍔が備えられたゴルフ帽子は、前記鉄片（１２’）に磁力で付着されるように磁石部（４１）が内部中央に軸心方向に形成されたゴルフティー（４０）が備えられ、
前記磁石部（４１）は、多数個の磁石片（４１ａ）が互いに密着してなることを特徴とする、可変鍔が備えられたゴルフ帽子。
【発明の詳細な説明】
【技術分野】
【０００１】
本発明は、可変鍔が備えられたゴルフ帽子に関し、より詳細には、屋外のフィールドでゴルフをプレイする際、強い紫外線が含まれた日光を前面だけでなく側面からも遮断することができ、帽子の鍔の底面の両側に鉄片が備えられることによって、磁石が含まれたゴルフティーやマーカーが磁力で接触して固定されることを特徴とする可変鍔が備えられたゴルフ帽子に関する。
【背景技術】
【０００２】
一般に、鍔付き帽子は、強烈な紫外線を含む日光から皮膚及び視力を保護するために頭に着用するもので、頭に被せられるキャップ、及びキャップの前方に突出形成され、日光を遮断する鍔で構成される。
【０００３】
そして、ゴルフ帽子は、屋外で主に着用するため、このような鍔が必ず必要である。また、ゴルフは、プレイする際に、ボール、クラブ、マーカー、ゴルフティー、グローブなどの様々な装備を追加的に必要とするようになる。このとき、ゴルフプレーヤーは、ゴルフ帽子を単なる日光を遮断する鍔の機能に加え、前記マーカーをクリップと磁石でゴルフ帽子に付着した状態でプレイしたりする。
【０００４】
このようなゴルフ帽子に様々な付着手段を設置して多用途に使用できる技術が開発されている。
【０００５】
これと関連する従来技術として、韓国公開実用新案第２０−２０００−０００９３９４号（２０００年０６月０５日）には、“ポケット付きゴルフ帽子”が開示されている。
【０００６】
前記の従来技術は、ゴルフ用ティー５とグリーンフォーク６などの様々な小道具を入れて持ち歩ける区画を設置したポケットが備えられ、前記ポケット３の外皮１１を側面生地２の下端と同じ形状及び大きさにデザインして、前記ポケット３の左右及び下端を帽子の本体と共に縫製するように設計され、帽子の生地７を二重にし、それらの間に接着ＰＶＣ８を介在させて熱圧で加工することによって弾力性を有するようにしたことを特徴とする。
【０００７】
しかし、前記従来技術は、側面生地２の下端と同じ形状及び大きさにデザインされた前記ポケットの外皮１１は、縫製は簡単になるが、必然的に必要とされる縫製加工が多くなることによって、生産性が低下するという問題があった。
【０００８】
また、帽子の生地７を二重にし、それらの間に接着ＰＶＣ８を介在させて熱圧で加工することによって帽子の弾力性が向上するが、通気性及び帽子の着用感を低下させるという問題があった。
【０００９】
そして、ゴルフ用ティーのように長い装置は、帽子を被った状態で前記ポケット３に装着しにくいという問題があった。
【発明の概要】
【発明が解決しようとする課題】
【００１０】
本発明は、前記のような従来技術の問題点を解決するために創作されたもので、本発明の目的は、必要に応じて可変鍔を任意にスライド引き出しして着用者の顔の側面まで紫外線を遮断できる利点を有すると共に、鍔ボードにガイドと鉄片溝が一体に成形されることによって、部品数及び組立工程を減少させて製造原価を著しく低減させ、前記鉄片溝に挿入される鉄片に付着される磁石体が備えられたゴルフティーが備えられた、可変鍔が備えられたゴルフ帽子を提供することにある。
【課題を解決するための手段】
【００１１】
上記目的を達成するための本発明による可変鍔が備えられたゴルフ帽子は、頭に被せられるキャップ及び前記キャップの前方に延びた鍔からなるゴルフ帽子であって、底面にガイドが一体に形成された固定鍔と；前記ガイドに嵌められる遊動部、及び前記遊動部から延び、前記固定鍔の一側にスライドされて日光を遮断する鍔部からなる、一対の可変鍔と；前記固定鍔の底面の前方先端及び後方先端に固定されて前記可変鍔を支持する鍔カバーとが備えられ、前記固定鍔の底面の両側部には、矩形状に窪んだ鉄片溝、及び前記鉄片溝に挿入される鉄片が備えられたことを特徴とする。
【００１２】
前記ガイドは、内側に窪んだ凹状のガイド、及び外側に突出した凸状のガイドのいずれか１つからなり、
前記凹状のガイドは、前記固定鍔の中央を中心に左右方向に対称となるように窪んだガイド路、及び前記ガイド路の上端一側を覆うガイド段部で形成され、
前記凸状のガイドは、前記固定鍔の前後方に対称に形成されるアングル、及び前記固定鍔の中央底面と前記アングルの中央を垂直に連結するアングル軸で形成されたことを特徴とする。
【００１３】
前記遊動部は、前記凸状のガイドと連結されてスライドされるように中央にガイド溝が形成された溝状の遊動部、及び前記凹状のガイドに挿入されてスライドされるように端部に両側部へ拡張される拡張片が形成された片状の遊動部のいずれか１つからなることを特徴とする。
【００１４】
前記可変鍔が備えられたゴルフ帽子は、前記鉄片に磁力で付着される磁石部が内部中央に軸心方向に形成されたゴルフティーが備えられたことを特徴とする。
【００１５】
前記磁石部は、多数個の磁石片が互いに密着してなることを特徴とする。
【発明の効果】
【００１６】
このように、本発明に係る可変鍔が備えられたゴルフ帽子は、次のような効果がある。
【００１７】
第一に、固定鍔から、必要に応じて可変鍔を任意にスライド引き出しして着用者の顔の側面まで紫外線を遮断することができ、
第二に、前記固定鍔の底面の両側部には、矩形状に窪んだ鉄片溝、及び前記鉄片溝に挿入される鉄片が備えられることによって、前記鉄片に磁力で付着されるゴルフティーとボールマーカーを付着した状態でプレイできるので、使用者が便利に使用することができ、
第三に、中央を中心に左右方向に対称となるように窪んだガイド路及び前記ガイド路の側面上部を覆うガイド段部からなる凹状のガイドが備えられることによって、固定鍔の厚さを減少させることができるので、製造原価を著しく低減させるという優れた効果がある。
【図面の簡単な説明】
【００１８】
【図１】従来技術に係るゴルフ帽子の側面図である。
【図２】本発明に係る可変鍔が備えられたゴルフ帽子の分解斜視図である。
【図３】本発明に係るゴルフ帽子の凸状のガイドを示す平面図である。
【図４】本発明に係るゴルフ帽子の凸状のガイドを示す断面図である。
【図５】本発明の他の実施例に係るゴルフ帽子の分解斜視図である。
【図６】本発明に係るゴルフ帽子の凹状のガイドを示す断面図である。
【図７】本発明のゴルフティーを示す断面図である。
【発明を実施するための形態】
【００１９】
以下、添付の図面を参照して、本発明に係る可変鍔が備えられたゴルフ帽子の実施例を詳細に説明すると、次の通りである。
【００２０】
本発明の可変鍔が備えられたゴルフ帽子は、図２乃至図６に示したように、頭に被せられるキャップＣ、及び前記キャップＣの前方に延びた鍔からなるゴルフ帽子であって、底面にガイド１１が一体に形成された固定鍔１０と；前記ガイド１１に嵌められる遊動部２１、及び前記遊動部２１から延び、前記固定鍔１０の一側にスライドされて日光を遮断する鍔部２２からなる、一対の可変鍔２０と；前記固定鍔１０の底面の前方先端及び後方先端に固定されて前記可変鍔２０を支持する鍔カバー３０とが備えられ、前記固定鍔１０の底面の両側部には、矩形状に窪んだ鉄片溝１２、及び前記鉄片溝に挿入される鉄片１２’が備えられる。
【００２１】
ここで、前記鉄片１２’は、前記鉄片溝１２に接着または融着される。そして、前記可変鍔２０は、前記ガイド１１に嵌められてスライドされ、前記ガイド１１は、前記固定鍔１０の製造時に一体に射出されて成形される。
【００２２】
そして、前記可変鍔が備えられたゴルフ帽子は、図７に示したように、前記鉄片１２’に磁力で付着される磁石部４１が内部中央に軸心方向に形成されたゴルフティー４０が備えられる。
【００２３】
前記磁石部４１は、多数個の磁石片４１ａが互いに密着してなることによって、前記ゴルフティー４０の大きさに応じて内蔵される個数が異なる。
【００２４】
一方、前記ガイド１１は、内側に窪んだ凹状のガイド１３、及び外側に突出した凸状のガイド１４のいずれか１つからなり、
前記凹状のガイド１３は、前記固定鍔１０の中央を中心に左右方向に対称となるように窪んだガイド路１３ａ、及び前記ガイド路１３ａの上端一側を覆うガイド段部１３ｂで形成され、
前記凸状のガイド１４は、前記固定鍔１０の前後方に対称に形成されるアングル１４ａ、及び前記固定鍔１０の中央底面と前記アングル１４ａの中央を垂直に連結するアングル軸１４ｂで形成される。
【００２５】
ここで、前記凹状のガイド１３は凹入型であり、前記凸状のガイド１４は突出型に備えられる。前記ガイド１１に応じて前記可変鍔２０の遊動部２１が形成される。すなわち、前記遊動部２１は、前記凸状のガイド１４と連結されてスライドされるように中央にガイド溝２４ａが形成された溝状の遊動部２４が備えられ、前記凹状のガイド１３に挿入されてスライドされるように、端部に両側部へ拡張される拡張片２３ａが形成された片状の遊動部２３が備えられるようになる。
【００２６】
前記のような構成からなる本発明に係る可変鍔が備えられたゴルフ帽子の作用は、次の通りである。
【００２７】
本発明の可変鍔が備えられたゴルフ帽子は、図２に示したように、固定鍔１０の底面に、可変鍔２０が固定されて移送されるガイド１１、及び底面の両側部に、鉄片溝１２及び鉄片１２’が備えられることによって、前記鉄片１２’に磁石部４１が内蔵されたゴルフティー４０やボールマーカー（図示せず）が付着可能になる。
【００２８】
一方、前記ガイド１１は、凹状のガイド１３及び凸状のガイド１４からなり、前記凹状のガイド１３にはガイド段部１３ｂが備えられ、前記凸状のガイド１４にはアングル１４ａが備えられることによって、前記可変鍔２０がスライド時に離脱されなくなる。
【００２９】
ここで、前記ガイド段部１３ｂはガイド路１３ａの上端の一部を覆うように形成され、前記アングル１４ａは前後方に対称に形成されることによって、前記可変鍔２０が離脱することを防止できるようになる。
【００３０】
組立時に、前記可変鍔２０は、前記ガイド段部１３ｂやアングル１４ａに対応する遊動部２１がそれぞれ形成されるようになる。すなわち、前記遊動部２１は、ガイド溝２４ａが形成された溝状の遊動部２４が前記アングル１４ａと対応し、拡張片２３ａが形成された片状の遊動部２３が前記ガイド段部１３ｂと対応して離脱せずにスライドされるようになる。
【００３１】
一方、前記固定鍔１０の底面の前方先端及び後方先端に固定されて前記可変鍔２０を支持する鍔カバー３０は、ゴルフ帽子の外形を保護し、デザインを改善する役割を果たす。すなわち、前記遊動部２１及びガイド１１が外部に直接露出することを遮断するようになる。
【００３２】
このような本発明の可変鍔が備えられたゴルフ帽子は、ゴルフをプレイする際、前記ゴルフティー４０をティーショットの後にポケットに入れて歩いたり、手に持って歩いたりする不便が減少するようになり、側面から入る紫外線を遮断する前記可変鍔２０が、ゴルフプレーヤーの皮膚と目に入射する紫外線を一定部分遮断するのに有用に利用される。
【００３３】
本発明は、上述した特定の好ましい実施例に限定されず、特許請求の範囲で請求する本発明の要旨を逸脱することなく、当該発明の属する技術分野における通常の知識を有する者であれば誰でも様々な変形実施が可能であることは勿論であり、そのような変更は特許請求の範囲の記載の範囲内にある。
【符号の説明】
【００３４】
＜図面の主要部分に対する符号の説明＞
１０：固定鍔    １１：ガイド
１２：鉄片溝    １２’：鉄片
１３：凹状のガイド    １３ａ：ガイド路
１３ｂ：ガイド段部    １４：凸状のガイド
１４ａ：アングル    １４ｂ：アングル軸
２０：可変鍔    ２１：遊動部
２２：鍔部    ２３：片状の遊動部
２３ａ：拡張片    ２４：溝状の遊動部
２４ａ：ガイド溝    ３０：鍔カバー
４０：ゴルフティー    ４１：磁石部
４１ａ：磁石片
Ｃ：キャップ
【図１】
2018521240.tif 000003
【図２】
2018521240.tif 000004
【図３】
2018521240.tif 000005
【図４】
2018521240.tif 000006
【図５】
2018521240.tif 000007
【図６】
2018521240.tif 000008
【図７】
2018521240.tif 000009
【国際調査報告】
2018521240.tif 000010
2018521240.tif 000011
2018521240.tif 000012
2018521240.tif 000013